(57)【要約】【課題】  従来のＰＣにおける壁紙の設定方式では、デジタルカメラ及びＰＣのそれぞれで、それぞれのアプリケーションに対応した作業が必要となる。【解決手段】  デジタルカメラにおいて、ＰＣの壁紙として表示させたい画像を選択し、更にその壁紙としての表示形態を設定する（Ｓ７）。そして、その設定した設定記述情報をＰＣに送信する（Ｓ８）ことにより、その選択した画像を、設定した表示形態でＰＣの画面の壁紙として表示させることができる。尚、画像のサイズをＰＣの背景のサイズに変換する処理を、デジタルカメラが行うこともできる。【選択図】  図１５
2007079638.tif 000002
【特許請求の範囲】
【請求項１】
情報処理装置に画像情報を転送する画像供給装置であって、
前記情報処理装置の背景画像とすべき画像を選択する選択手段と、
前記情報処理装置の背景画像表示領域のサイズである背景サイズを取得する取得手段と、
前記背景サイズに基づいて、前記選択手段により選択された画像の画像サイズを変換して前記背景画像を生成する生成手段と、
前記生成手段により生成された前記背景画像を含む背景画像の設定情報を前記情報処理装置に転送する転送手段と、
を有することを特徴とする画像供給装置。
【請求項２】
前記設定情報は、前記情報処理装置における背景画像の表示形態を指示する情報を含むことを特徴とする請求項１に記載の画像供給装置。
【請求項３】
前記設定情報は、前記情報処理装置の画面を複数領域に分割する情報を含むことを特徴とする請求項１又は２に記載の画像供給装置。
【請求項４】
前記生成手段は、前記背景サイズに代えて、前記複数領域の１つの領域サイズに基づいて、前記選択手段により選択された画像の画像サイズを変換し、前記複数領域のそれぞれに前記変換した画像を配置して合成することにより前記背景画像を生成することを特徴とする請求項３に記載の画像供給装置。
【請求項５】
前記生成手段は、前記背景サイズ又は前記の複数領域の１つの領域サイズの縦横比と、前記選択手段により選択された画像の縦横比とが一致しない場合に、前記画像の縦横比を維持したまま、前記背景サイズ又は前記領域サイズに収まるように、前記画像のサイズを変換することを特徴とする請求項３又は４に記載の画像供給装置。
【請求項６】
前記生成手段は、さらに、前記背景画像表示領域又は前記複数領域の１つの領域の中で、前記変換された画像が含まれない部分を単色で塗りつぶすことを特徴とする請求項５に記載の画像供給装置。
【請求項７】
前記生成手段は、前記画像に付帯情報として回転フラグが付加されている場合は、該画像を前記回転フラグに基づいて回転してから前記背景画像を生成することを特徴とする請求項１乃至６のいずれか１項に記載の画像供給装置。
【請求項８】
前記設定情報は、前記情報処理装置における背景画像の更新時間を指示する情報を含むことを特徴とする請求項１乃至７のいずれか１項に記載の画像供給装置。
【請求項９】
さらに、前記生成手段により生成された前記背景画像を保存する記憶手段を備え、
前記設定情報は、前記記憶手段に保存された前記背景画像の画像データのパス情報を含むことを特徴とする請求項１乃至８のいずれか１項に記載の画像供給装置。
【請求項１０】
前記設定情報は、テキスト形式で前記情報処理装置に転送されることを特徴とする請求項１乃至９のいずれか１項に記載の画像供給装置。
【請求項１１】
画像供給装置から入力した画像情報を表示する情報処理装置であって、
前記画像供給装置から背景画像の設定情報を受信する受信手段と、
前記受信手段により受信した前記設定情報に含まれる画像の画像データを前記画像供給装置から取得する取得手段と、
前記取得手段により取得した画像データを、前記設定情報に従って背景画像として表示する表示制御手段と、
を有することを特徴とする情報処理装置。
【請求項１２】
前記設定情報が前記情報処理装置における背景画像の更新時間を指示する情報を含む場合、表示時間を計時する計時手段を有し、
前記表示制御手段は、前記計時手段による計時と前記更新時間とに基づいて、前記背景画像の表示を制御することを特徴とする請求項１１に記載の情報処理装置。
【請求項１３】
前記取得手段は、前記設定情報に含まれている画像データが格納されているパス情報に基づいて前記画像供給装置から画像データを取得することを特徴とする請求項１１又は１２に記載の情報処理装置。
【請求項１４】
前記設定情報は、テキスト形式で前記画像供給装置から転送されることを特徴とする請求項１１乃至１３のいずれか１項に記載の情報処理装置。
【請求項１５】
情報処理装置に画像情報を転送する画像供給方法であって、
前記情報処理装置の背景画像とすべき画像を選択する選択工程と、
前記情報処理装置の背景画像表示領域のサイズである背景サイズを取得する取得工程と、
前記背景サイズに基づいて、前記選択工程により選択された画像の画像サイズを変換して前記背景画像を生成する生成工程と、
前記生成工程により生成された前記背景画像を含む背景画像の設定情報を前記情報処理装置に転送する転送工程と、
を有することを特徴とする画像供給方法。
【請求項１６】
前記設定情報は、前記情報処理装置における背景画像の表示形態を指示する情報を含むことを特徴とする請求項１５に記載の画像供給方法。
【請求項１７】
前記設定情報は、前記情報処理装置の画面を複数領域に分割する情報を含むことを特徴とする請求項１５又は１６に記載の画像供給方法。
【請求項１８】
前記生成工程は、前記背景サイズに代えて、前記複数領域の１つの領域サイズに基づいて、前記選択工程により選択された画像の画像サイズを変換し、前記複数領域のそれぞれに前記変換した画像を配置して合成することにより前記背景画像を生成することを特徴とする請求項１７に記載の画像供給方法。
【請求項１９】
前記生成工程は、前記背景サイズ又は前記の複数領域の１つの領域サイズの縦横比と、前記選択工程により選択された画像の縦横比とが一致しない場合に、前記画像の縦横比を維持したまま、前記背景サイズ又は前記領域サイズに収まるように、前記画像のサイズを変換することを特徴とする請求項１７又は１８に記載の画像供給方法。
【請求項２０】
前記生成工程は、さらに、前記背景画像表示領域又は前記複数領域の１つの領域の中で、前記変換された画像が含まれない部分を単色で塗りつぶすことを特徴とする請求項１９に記載の画像供給方法。
【請求項２１】
前記生成工程は、前記画像に付帯情報として回転フラグが付加されている場合は、該画像を前記回転フラグに基づいて回転してから前記背景画像を生成することを特徴とする請求項１５乃至２０のいずれか１項に記載の画像供給方法。
【請求項２２】
前記設定情報は、前記情報処理装置における背景画像の更新時間を指示する情報を含むことを特徴とする請求項１５乃至２１のいずれか１項に記載の画像供給方法。
【請求項２３】
さらに、前記生成工程により生成された前記背景画像を保存する記憶工程を備え、
前記設定情報は、前記記憶工程に保存された前記背景画像の画像データのパス情報を含むことを特徴とする請求項１５乃至２２のいずれか１項に記載の画像供給方法。
【請求項２４】
前記設定情報は、テキスト形式で前記情報処理装置に転送されることを特徴とする請求項１５乃至２３のいずれか１項に記載の画像供給方法。
【請求項２５】
画像供給装置から入力した画像情報を表示する情報処理方法であって、
前記画像供給装置から背景画像の設定情報を受信する受信工程と、
前記受信工程により受信した前記設定情報に含まれる画像の画像データを前記画像供給装置から取得する取得工程と、
前記取得工程により取得した画像データを、前記設定情報に従って背景画像として表示する表示制御工程と、
を有することを特徴とする情報処理方法。
【請求項２６】
前記設定情報が前記情報処理方法における背景画像の更新時間を指示する情報を含む場合、表示時間を計時する計時工程を有し、
前記表示制御工程は、前記計時工程による計時と前記更新時間とに基づいて、前記背景画像の表示を制御することを特徴とする請求項２５に記載の情報処理方法。
【請求項２７】
前記取得工程は、前記設定情報に含まれている画像データが格納されているパス情報に基づいて前記画像供給装置から画像データを取得することを特徴とする請求項２５又は２６に記載の情報処理方法。
【請求項２８】
前記設定情報は、テキスト形式で前記画像供給装置から転送されることを特徴とする請求項２５乃至２７のいずれか１項に記載の情報処理方法。
【請求項２９】
カメラとコンピュータ機器とを機能的に接続した情報処理システムであって、
前記カメラは、
保持する画像から、前記コンピュータ機器の壁紙に表示される壁紙用画像を生成する生成手段と、
前記壁紙用画像及びその表示形態を設定する設定手段と、
前記壁紙用画像及びその表示形態を記述した設定情報を前記コンピュータ機器に送信する送信手段とを有し
前記コンピュータ機器は、
前記設定情報で記述された壁紙用画像の画像データを前記カメラから取得する取得手段と、
前記取得手段により取得した壁紙用画像を、前記設定情報に含まれる前記壁紙用画像の表示形態に従って表示する表示制御手段と、
を有することを特徴とする情報処理システム。
【発明の詳細な説明】
【技術分野】
【０００１】
本発明は、ＰＣ等の情報処理装置と、その情報処理装置に画像データを供給する画像供給装置とそれらの制御方法に関するものである。
【背景技術】
【０００２】
従来、デジタルカメラで撮影した画像をＰＣ画面の背景（以下、壁紙）に設定する場合には、画像データをカメラからＰＣに画像ファイルとして転送した後、ユーザがそのＰＣを操作する必要があった。すなわち、ユーザはそのＰＣに実装されているＯＳによって提供される、或はＰＣの壁紙が設定できるアプリケーションを用いて、その転送された画像ファイル名を指定してＰＣ画面の壁紙を設定する必要があった。例えば、Microsoft社のWindows（登録商標） 2000では、システムのパラメータを取得又は設定するＡＰＩのパラメータに、その画像ファイルの情報を指定することにより、ＰＣの画面の壁紙を設定することができる。また或は、コントロールパネルの「画面」を起動し、表示される画像のプロパティ・ダイアログから「背景」タブを選択し、その背景としてＯＳに格納されている画像ファイルを選択することによってもＰＣ画面の壁紙を設定することができる。
【０００３】
また、複数枚の画像をＰＣ画面の壁紙に設定する場合には、予めフォトレタッチソフトウェア等を用いて各画像を合成し、ＰＣ画面の壁紙として表示するため合成画像を作成した後、その合成画像を壁紙として設定するといった作業が必要であった。特許文献１では、壁紙の所定領域に特定の動作を関連付けることが記載されている。
【特許文献１】特開平０９−２８８５５８号公報
【発明の開示】
【発明が解決しようとする課題】
【０００４】
上述した従来のＰＣにおける壁紙の設定方式では、デジタルカメラ及びＰＣのそれぞれで、それぞれのアプリケーションに対応した作業が必要となる。このように、ＰＣとカメラのそれぞれにおいて、各アプリケーションを実行させて壁紙にしたい画像に対して作業するのは操作性が悪い。また、壁紙として複数枚の画像を同時に表示する場合には、フォトレタッチソフトウェア等を用いて、それら複数枚の画像を合成したファイルを作成する必要があり面倒な作業が必要となっていた。また、スクリーンセーバやビューワを用いた表示方法では、画像表示以外の作業が考慮されていないため、上述した壁紙の表示制御を行うことはできなかった。
【０００５】
本発明は上記問題点に鑑みてなされたもので、情報処理装置の画面に表示される背景画像を簡単に設定できる手法を提供することを目的とする。
【課題を解決するための手段】
【０００６】
本発明の画像供給装置は以下のような構成を備えることを特徴としている。即ち、
情報処理装置に画像情報を転送する画像供給装置であって、
前記情報処理装置の背景画像とすべき画像を選択する選択手段と、
前記情報処理装置の背景画像表示領域のサイズである背景サイズを取得する取得手段と、
前記背景サイズに基づいて、前記選択手段により選択された画像の画像サイズを変換して前記背景画像を生成する生成手段と、
前記生成手段により生成された前記背景画像を含む背景画像の設定情報を前記情報処理装置に転送する転送手段と、
を有することを特徴とする。
【０００７】
本発明の情報処理装置は以下のような構成を備えることを特徴としている。即ち、
画像供給装置から入力した画像情報を表示する情報処理装置であって、
前記画像供給装置から背景画像の設定情報を受信する受信手段と、
前記受信手段により受信した前記設定情報に含まれる画像の画像データを前記画像供給装置から取得する取得手段と、
前記取得手段により取得した画像データを、前記設定情報に従って背景画像として表示する表示制御手段と、
を有することを特徴とする。
【０００８】
本発明の画像供給方法は以下のような工程を備えることを特徴としている。即ち、
情報処理装置に画像情報を転送する画像供給方法であって、
前記情報処理装置の背景画像とすべき画像を選択する選択工程と、
前記情報処理装置の背景画像表示領域のサイズである背景サイズを取得する取得工程と、
前記背景サイズに基づいて、前記選択工程により選択された画像の画像サイズを変換して前記背景画像を生成する生成工程と、
前記生成工程により生成された前記背景画像を含む背景画像の設定情報を前記情報処理装置に転送する転送工程と、
を有することを特徴とする。
【０００９】
本発明の情報処置方法は以下のような工程を備えることを特徴としている。即ち、
画像供給装置から入力した画像情報を表示する情報処理方法であって、
前記画像供給装置から背景画像の設定情報を受信する受信工程と、
前記受信工程により受信した前記設定情報に含まれる画像の画像データを前記画像供給装置から取得する取得工程と、
前記取得工程により取得した画像データを、前記設定情報に従って背景画像として表示する表示制御工程と、
を有することを特徴とする。
【発明の効果】
【００１０】
本発明によれば、情報処理装置における壁紙の設定を容易に行うことができる。
【発明を実施するための最良の形態】
【００１１】
以下、添付図面を参照して本発明の好適な実施の形態を詳しく説明する。
【００１２】
［第１の実施形態］
図１は、本発明の第１の実施形態に係るシステムの構成を説明する図である。この実施形態では、ホストコンピュータ（ＰＣ）１０とデジタルカメラ２０とが接続され、デジタルカメラ２０で、ＰＣ１０のモニタ画面に表示される壁紙の設定を行うことができるように構成されている。
【００１３】
図において、１０はホストコンピュータであるパーソナルコンピュータ（ＰＣ）等のコンピュータ機器を示している。このコンピュータ機器（以下、ＰＣ）１０は、画像やメニュー項目などを表示するモニタ１２、ボタン１６を有するポインティングデバイス（以下、マウス）１４、キーボード１８等を備えている。
【００１４】
２０はデジタルカメラで、ＵＳＢデータ転送ケーブル２２を介してＰＣ１０と接続され、デジタルカメラ２０により撮像された画像データ或は、カメラ２０のメモリカードに記憶されている画像データをＰＣ１０に取り込むことができる。また、このデジタルカメラ２０は、このデジタルカメラ２０のユーザインターフェース（ＵＩ）を使用して作成された、ＰＣ１０への壁紙の表示設定を行う設定記述情報をＰＣ１０に送信する。デジタルカメラ２０は、この設定記述情報に基づいてＰＣ１０からアクセスされた画像データをＰＣ１０に転送する。
【００１５】
尚、ＵＳＢインターフェースを介して接続されているデジタルカメラ２０は、ＰＣ１０から見た場合、新たに追加されたハードウェアとして認識される。そのため、デジタルカメラ２０の記憶媒体（メモリカード）に記憶されている画像データのパス情報が分かれば、ＰＣ１０は、その記憶媒体に記憶されている所望の画像データを簡単に取得することができる。
【００１６】
図２は、本実施形態に係るＰＣ１０の機能構成を示すブロック図である。
【００１７】
図２において、１１０はアプリケーションソフトウェア、１２０はオペレーティングシステム（ＯＳ）を示している。このアプリケーションソフトウェア１１０、ＯＳ１２０はＰＣ１０のハードディスク１８０に予めインストールされており、実行時にＲＡＭ１９１にロードされ、ＣＰＵ１９０の制御の下に実行される。尚、これ以外の構成で、特に本実施形態の理解に必要でない要素、例えば、オペレーティングシステム１２０のメモリ管理システムなどは、この図２では省略してある。
【００１８】
ファイルシステム１２４はオペレーティングシステム１２０を構成するファイルシステムで、アプリケーションソフトウェア１１０がハードウェアを直接制御することなしにファイルの入出力を可能にしている。このようなファイルシステムは周知である。ディスクインターフェース１７０は、このファイルシステム１２４がハードディスク１８０にアクセスしてデータの読み書きを行うことができるようにしている。１２３はオペレーティングシステム１２０に含まれる描画管理システムで、アプリケーションソフトウェア１１０が直接ハードウェアを制御することなく画像を生成する機能を具備する。このＰＣ１０におけるモニタ１２の画面の背景（壁紙）設定用のアプリケーションもアプリケーションソフトウェア１１０に含まれているものとする。ビデオインターフェース１６０は、この描画管理システム１２３で生成される画像データをモニタ１２に適合するビデオ信号に変換して表示するように制御している。１２１はオペレーティングシステム１２０を構成するイメージデバイス管理システムである。このイメージデバイス管理システム１２１は、デジタルカメラ２０やスキャナなどの画像データを扱うデバイスを管理するものである。そして、このＰＣ１０に接続されているデバイスに適切なデバイスドライバを自動的に割り振り、またアプリケーションソフトウェア１１０がハードウェアを直接制御することなく、これら接続されているデバイスからの入出力を管理する手段を提供する。また、接続されているデバイスからの要求により、アプリケーションソフトウェア１１０を起動することが可能である。キーボードインターフェース１４０、マウスインターフェース１５０はそれぞれ、ＰＣ１０とキーボード１８とマウス１４との間のインターフェースを制御している。
【００１９】
前述したようにデジタルカメラ２０は、ＵＳＢケーブル２２を介してＵＳＢインターフェース１３０に接続されている。そして、アプリケーションソフトウェア１１０に記憶されているデジタルカメラのアプリケーションソフトウェアとの間で制御コマンド、状態信号及び画像データ等の送受信を行うことが可能である。その際には、イメージデバイス管理システム１２１並びにデジタルカメラ２０のデバイスドライバ１２２を介する。
【００２０】
このアプリケーションソフトウェア１１０は、デジタルカメラ２０から画像データを取得したり、デジタルカメラ２０を制御したりするアプリケーションソフトウェアである。本実施形態に係るアプリケーションソフトウェア１１０は、次に例示する機能を備えている。例えば、イメージデバイス管理システム１２１にアクセスすることでデジタルカメラ２０と通信を行う通信管理部１１１、デジタルカメラ２０で撮影された画像を通信管理部１１１を用いて取得する画像転送管理部１１２を備えている。また、デジタルカメラ２０から転送された画像や制御コマンド等並びに、ＰＣ１０の情報等を基に画像の縮小、拡大、合成等の画像処理を行う画像処理部１１３を備えている。更には、アプリケーションソフトウェア１１０の情報等をモニタ１２の画面上に表示するデータ表示部１１４、アプリケーションソフトウェア１１０の情報等をハードディスク１８０に格納し管理するファイル管理部１１５などに相当する機能を備えている。尚、これ以外に、このＰＣ１０は、ＣＰＵ１９０よりの指示により計時を行うタイマ（不図示）、他の入出力機器との間のインターフェースを制御するインターフェース（不図示）を備えている。
【００２１】
図３は、本実施形態に係るデジタルカメラ２０の機能構成を示す機能ブロック図である。
【００２２】
デジタルカメラ２０は、レンズ、ＣＣＤ、駆動回路等を含んだ光学ユニット２０４、画像データ等を処理する信号処理部２０３、ＣＰＵ等を含む演算部２０２、ＤＲＡＭ等の一時記憶部２０５等を備えている。また、内臓フラッシュＲＯＭ等の二次記憶部２０６、図４に示す各種ボタンやスイッチなどを含む操作部２０７、液晶等の表示部２０８、プログラムの格納等に使用されるＲＯＭ等の読出し専用メモリ２０９等を備えている。更には、コンパクトフラッシュ（登録商標）メモリなどのメモリカード等の着脱可能記憶媒体２１０、コンピュータ１０との接続を管理する通信制御部２０１等を備えている。
【００２３】
この構成において、撮影された画像信号はＪＰＥＧ圧縮されて記憶媒体２１０に記憶される。また、操作部２０７を使用した操作により、この記憶媒体２１０に記憶されている画像データを読み出して表示部２０８に表示することができる。更に、このデジタルカメラ２０では、記憶媒体２１０に記憶されている画像の中から一つ或は複数の画像を選択し、その選択した画像をＰＣ１０の壁紙として表示するように設定することができる。
【００２４】
尚、この設定には、良く知られているように、１つの画像を壁紙として設定するだけでなく、ＰＣ１０のモニタ１２の画面を複数の領域に分割し、選択した画像を各領域に表示させた画像を壁紙として表示することができる。或はスライドショーのように各領域に表示される画像を順次変更する画像を壁紙として表示することができる。以下、これらの処理について詳しく説明する。
【００２５】
図４は、本実施形態に係るデジタルカメラ２０の背面構成を説明する図である。
【００２６】
表示部２０８の画面は、デジタルカメラ２０の各種設定を行うための各種メニューを表示する。また、撮影時のファインダとして使用され、撮影しようとしている画像を表示するのに用いられる。更には、メモリカード２１０に格納されている撮影済みの画像の表示などにも用いられる。電源ボタン２５１は、このデジタルカメラ２０の電源をオン、オフするための電源スイッチである。撮影／再生切り替えボタン２５７は、このデジタルカメラ２０を使用して写真を撮影する撮影モードの設定、及び、メモリカード２１０に記憶されている画像の再生モード及びＰＣとの接続モードを切り替えるためのものである。再生モード及びＰＣとの接続モード（以下、再生／ＰＣ接続モードと呼ぶ）とは、ＰＣ１０と接続されてＰＣ１０により画像の取り込みが可能な状態を指す。シャッタボタン２５２は、撮影を行うためのボタンである。
【００２７】
メニューボタン２５３は、このカメラ２０の動作を設定及び指定するためのメニュー画面を表示させるためのもので、このメニューボタン２５３が押されると表示部２０８に各種メニューが表示される。尚、このメニューとして表示される内容は、デジタルカメラ２０の状態によりそれぞれ変化する。セットボタン２５４、移動（カーソル）ボタン２５６は、メニュー画面を使用して各種モードの設定を操作するときに使用するものである。移動ボタン２５６で選択項目を順次移動させて、セットボタン２５４でその選択されているモードやデータの設定を行う操作や、再生／ＰＣ接続モード時に、デジタルカメラ２０の単一もしくは複数の画像を選択する操作を実現する。ＰＣ背景設定ボタン２５５は、ＰＣ接続モード時に、メニューボタン２５３やセットボタン２５４の操作により、選択された画像をＰＣ１０の壁紙として設定するように指示するためのボタンである。尚、このＰＣ背景設定ボタン２５５は、本実施形態のように、物理的なボタンとして設けていなくても、例えばメニュー画面の項目「ＰＣ背景設定」を指定することにより、このボタン２５５と同様の機能を持たせるようにしてもよいことはもちろんである。
【００２８】
図５（Ａ），（Ｂ）は、本実施形態に係るデジタルカメラ２０において、ＰＣ背景設定ボタン２５５が押下された際に、デジタルカメラ２０の表示部２０８へ表示される表示例（ＵＩ）を説明する図である。
【００２９】
このデジタルカメラ２０は、接続されたＰＣ１０の壁紙を設定できる機能、その設定機能に付随している各種オプション機能を有している。カーソルボタン２５６、セットボタン２５４を操作することにより、壁紙の繰り返し表示の有無、壁紙の表示時間間隔、ＰＣ１０の背景画面の分割数等を設定することができる。
【００３０】
例えば図５（Ａ）の例は、ＰＣ背景設定モードにおける設定例を示す図で、ここでは繰り返し表示が「なし」、画像の表示時間間隔が「なし（０）」、そしてＰＣの壁紙の分割数が「１×１」に設定されている。これは従来から行われている一般的な壁紙の表示設定を示すもので、画面上に１つの壁紙が表示される場合を示している。
【００３１】
図５（Ｂ）は、ＰＣ背景設定モードにおける設定例を示す図で、ここでは繰り返し表示が「Ｙ（あり）」、画像の表示時間間隔が「１５秒」、ＰＣの壁紙の分割数が「２×２」に設定された場合を示している。この場合には、壁紙を表示するＰＣの表示画面が４つの領域に分割され、１５秒経過する度に、各領域における表示が変更される。
【００３２】
尚、このＵＩにおいて、「表示間隔」の時間設定は、「０」の位置にカーソルを合わせて、カーソルボタン２５６の上方向を指示することにより５秒おきに時間値が上昇し、逆に下方向を指示することにより５秒おきに時間値が減少することに指定できる。また分割数の設定も同様に、その数字の位置にカーソルを合わせて、カーソルボタン２５６の上方向或は下方向を指示することにより、任意の分割数を設定することができる。
【００３３】
図６は、このような画面の分割例を説明する図である。この例では、ＰＣ１０のモニタ１２の画面を２×２に分割して表示する例で示している。尚、ここでは画面のサイズは横方向に１０２４画素、縦方向に７６８画素としている。
【００３４】
この例ではＰＣ１０の壁紙を設定する領域が論理的に４つの領域に分割されている。それぞれの分割された各論理的領域を画面の左上から右下に、それぞれ第１領域［Ａ（１，１）］３０１、第２領域［Ａ（１，２）］３０２、第３領域［Ａ（２，１）］３０３及び第４領域［Ａ（２，２）］３０４としている。この場合、各領域のサイズはそれぞれ横５１２（＝１０２４／２）画素、縦３８４（＝７６８／２）画素となる。
【００３５】
図７（Ａ）〜（Ｈ）は、これら２×２に分割された各領域への画像の表示順序を説明する図である。
【００３６】
この例では、壁紙として選択された画像の数は８で、画面は２×２の領域に分割されている。この場合には、表示時間間隔で設定された時間ごとに、図７（Ａ）〜（Ｄ）で示すように、順次、第１領域〜第４領域の順番に、画像１(Pic.1)〜画像４(Pic.4)が表示される。そして、この例では、次の表示時間間隔が経過すると、それまで表示されていた画像１〜４を全て消去して、第１領域３０１に、次の画像である画像５(Pic.5)を表示している。そして図７（Ｆ）〜（Ｈ）では、表示時間間隔で設定された時間ごとに、順次、第２領域〜第４領域の順番に、画像６(Pic.6)〜画像８(Pic.8)がそれぞれ各画像領域に表示される。
【００３７】
或いは、ＰＣ１０のＲＡＭ１９１に一時作業領域を設け、画像１(Pic.1)画像〜画像４(Pic.4)を予め合成してから表示するようにしてもよい。この場合、まず図７（Ｄ）がモニタ１２に表示され、表示時間間隔が経過すると、図７（Ｈ）が表示される。
【００３８】
図８（Ａ）〜（Ｄ）は、図７（Ｅ）〜（Ｈ）の変形例を説明する図である。ここでは図７（Ｄ）のように画像１〜４が表示された後、次の表示時間間隔が経過すると、それまで表示されていた画像１〜４を全て消去せずに、図８（Ａ）で、第１領域３０１に次の画像である画像５(Pic.5)を表示している。そして図８（Ｂ）〜（Ｄ）で、表示時間間隔で設定された時間ごとに、順次、画像６(Pic.6)〜画像８(Pic.8)を、それぞれ対応する領域に表示している。この場合には、図７（Ｅ）〜（Ｈ）で示すように、空白となる画像領域が存在しない。
【００３９】
このように、本実施形態に係る壁紙の表示制御を用いることにより、各画像をスライドショーのように順次表示させることができる。
【００４０】
図９（Ａ）〜（Ｃ）は、本実施形態に係るデジタルカメラ２０からＰＣ１０のアプリケーションソフトウェア１１０に転送される壁紙の設定記述情報の一例を説明する図である。この設定記述情報は、前述のようにして、デジタルカメラ２０で設定された壁紙の表示情報を記述した情報である。
【００４１】
この設定記述情報はテキストで記述されており、図５（Ａ），（Ｂ）に示すＰＣ背景設定モードで設定した情報を記述している。例えば、繰り返し表示の有／無、画像の表示時間間隔、ＰＣの背景画面の分割数、並びに選択した画像の総数、各選択された画像の記憶媒体２１０におけるパス情報等を記述している。本実施形態では、このようにテキストで設定情報を記述することにより、例えばデジタルカメラ２０とＰＣ１０との間のデータ転送をＰＴＰを用いて実行している場合でも、任意の設定情報をカメラ２０とＰＣ１０との間でやり取りすることができる。尚、ＰＴＰはPicture Transfer Protocolの略である。
【００４２】
この設定記述情報を受信したＰＣ１０は、繰り返し表示の有／無、画像の表示時間間隔、ＰＣの背景画面の分割数、並びに選択した画像の総数等の設定情報を記憶する。そして、選択された画像の画像データを、その画像のパス情報を基にデジタルカメラ２０の記憶媒体２１０から読み出してハードディスク１８０に記憶する。そして実際に壁紙を表示するタイミングとなると、その記憶している画像データを読み出し、上記設定情報に従って壁紙として表示する。
【００４３】
図９（Ａ）において、９０１は転送モードで、ここでは「ＰＣ背景設定モード」が設定されている。９０２は繰り返し表示で、ここでは繰り返し表示「なし」に設定されている。９０３は画像の表示時間間隔を示し、ここでは「なし」、即ち、「０」に設定されている。９０４はＰＣの背景画面の分割数で、ここでは「１×１」に設定されている。９０５は選択された画像の総数で、ここでは［１］である。９０６は、選択された画像のパス情報で、「\DCIM\100ABC\IMG_0001.JPG」が記述されている。
【００４４】
この設定記述情報を受信したＰＣ１０は、９０６で指定された画像を、そのパス情報を基に、デジタルカメラ２０の記憶媒体２１０から読み出して、モニタ１２の画面を分割することなく、画面全体に壁紙として表示する。
【００４５】
図９（Ｂ）は、転送モードが「ＰＣ背景設定モード」で、９１０で、繰り返し表示が「あり」に設定されている。そして画像の表示時間間隔は「１５秒」（９１１）で、ＰＣの背景の分割数は「１×１」（９１２）である。また選択された画像の総数は「４」（９１３）であり、９１４はこれら選択された画像１〜画像４のパス情報を記述している。即ち、これら選択された画像１〜画像４のパス情報は、「\DCIM\100ABC\IMG_0001.JPG」から「\DCIM\100ABC\IMG_0004.JPG」である。
【００４６】
この設定記述情報を受信したＰＣ１０は、モニタ１２の画面を分割することなく壁紙を表示する。この際、最初に「\DCIM\100ABC\IMG_0001.JPG」から読み出した画像１を壁紙として表示し、１５秒が経過すると、次は「\DCIM\100ABC\IMG_0002.JPG」から読み出した画像２を壁紙として表示する。以下、同様に、画像４までを順次表示すると、ここでは繰り返し表示が「あり」９１０に設定されているので、再び前述のように、画像１から順番に壁紙としてモニタ１２の画面に表示する。
【００４７】
図９（Ｃ）は、転送モードが「ＰＣ背景設定モード」で、繰り返し表示画「あり」９２０、画像の表示時間間隔画「２０秒」９２１、ＰＣの背景の分割数が「２×２」９２２で、選択された画像の総数が「８」９２３の場合を示している。９２４は、こうして選択された８つの画像１〜画像８のパス情報、即ち、「\DCIM\100ABC\IMG_0001.JPG」〜「\DCIM\100ABC\IMG_0008.JPG」を記述している。
【００４８】
この設定記述情報を受信したＰＣ１０は、モニタ１２の画面を２×２に分割して壁紙を表示する。この際、例えば前述の図７（Ａ）〜（Ｈ）で示したように、或は図７（Ａ）〜（Ｄ）と図８（Ａ）〜（Ｄ）で示すように、それぞれ２０秒が経過する度に、表示する画像を更新して壁紙として表示する。そして全ての画像が表示された後、繰り返し表示が「あり」９２０に設定されているので、再び前述のように、画像１から順番に壁紙としてモニタ１２の画面に表示する。尚、ここでも図７及び図８の表示形態に限定されず、２×２の領域に画像１〜画像４を同時に表示し、２０秒が経過すると、次の画像５〜画像８を２×２の領域に同時に表示するようにしても良い。
【００４９】
尚、図９において、ＰＣ１０の壁紙を設定しない、デジタルカメラ２０からＰＣ１０への通常の画像データの転送時には、転送モードとしては「画像転送モード」が設定される。ＰＣ１０のアプリケーションソフトウェア１１０は、デジタルカメラ２０からの転送モードに応じて、デジタルカメラ２０からの画像データをＰＣ１０のハードディスク１８０に保存するか、ＰＣ１０の壁紙として設定するかを判断する。そして、それ以降の処理を実行している。
【００５０】
次に、本発明の第１の実施形態における処理について説明する。
【００５１】
本実施形態に係るＰＣ１０には、ＰＣ１０の画面に壁紙を設定するためのアプリケーション１１０が既にインストールされている。デジタルカメラ２０と接続された場合、オペレーティングシステム１２０のイメージデバイス管理システム１２１によって、自動的に上記アプリケーションを起動することができる。これは周知のＯＳ（例えば、Windows（登録商標） 2000）では周知である。また、自動起動しないＯＳの場合には、ユーザが手動により上記アプリケーションを起動してもよい。また、デジタルカメラ２０では、ユーザが撮影した画像が着脱可能な記憶媒体２１０に記憶されているものとする。
【００５２】
図１０は、本実施形態に係るデジタルカメラ２０における処理を説明するフローチャートで、この処理を実行するプログラムはＲＯＭ２０９に記憶されており、演算部２０２のＣＰＵの制御の下に実行される。尚、この図１０のフローチャートにおいて、ステップＳ１及びＳ２の処理は、ユーザによる操作手順を示したもので、演算部２０２による処理はステップＳ３以降である。
【００５３】
ステップＳ１で、ユーザにより、デジタルカメラ２０の撮影再生切り替えボタン２５７が操作されて再生／ＰＣ接続モードが設定される。ステップＳ２で、ＵＳＢケーブル２２を用いてデジタルカメラ２０がＰＣ１０と接続されると、ＰＣ１０は、デジタルカメラが２０が接続されたことを検知してアプリケーション１１０を起動する。尚、本実施形態では、デジタルカメラ２０とＰＣ１０をケーブルで接続するように記載しているが無線による接続でも構わない。また、ステップＳ１とＳ２の順番はこれに限るものではない。そしてステップＳ３では、メモリカード２１０に記憶されている画像のインデックスなどを表示して、ＰＣ１０の壁紙として設定したい画像を選択する。ここでは１つ或は複数の画像を選択することができる。
【００５４】
次にステップＳ４で、ユーザによりＰＣ背景設定ボタン２５５が操作されたかをみる。ＰＣ背景設定ボタン２５５が操作されないときはステップＳ５に進み、操作されたボタンやメニュー設定などに対応した処理を実行する。
【００５５】
ステップＳ４で、ユーザによりＰＣ背景設定ボタン２５５が操作されるとステップＳ６に進む。ステップＳ６で、デジタルカメラ２０はＰＣ背景設定モードに移行する。そして、例えば図５（Ａ），（Ｂ）に示す画面を表示部２０８に表示し、繰り返し表示の有無、画像の表示時間間隔（単位は秒）、ＰＣの画面の分割数等を、ユーザがカーソルボタン２５６、セットボタン２５４を用いて設定する。こうしてステップＳ７で、これら設定された事項が確定されたかをみる。これは例えば、セットボタン２５４を所定時間押し続けるなどにより確定できる。確定されないときはステップＳ６に戻って前述の設定処理を実行するが、確定されるとステップＳ８に進む。ステップＳ８で、デジタルカメラ２０はこれら設定された繰り返し表示の有無、画像の表示時間間隔、ＰＣの壁紙の分割数、選択された画像などの情報を、例えば図９に示すようなテキスト形式でＰＣ１０に送信する。
【００５６】
図１１は、本実施形態に係るＰＣ１０で実行される処理を示すフローチャートで、この処理を実行するプログラムは、アプリケーションソフトウェア１１０として登録されている。
【００５７】
まずステップＳ１１で、ＵＳＢインターフェース１３０を介してカメラ２０が接続されたことを検知するとステップＳ１２に進み、このアプリケーションソフトウェア１１０を起動する。次にステップＳ１３で、前述したデジタルカメラ２０の処理（ステップＳ８）でデジタルカメラ２０から送信された、デジタルカメラ２０で設定された設定記述情報を受信するのを待つ。この設定記述情報を受信するとステップＳ１４に進み、その設定記述情報において分割数が「１」、即ち「１×１」に設定されているかをみる。分割数が「１」のとき、即ち、従来と同様に、画面上に１つの画像が壁紙として表示される場合はステップＳ１５に進む。ステップＳ１５で、ＰＣ１０はその受信した設定記述情報に記述されている画像のパス情報を参照して、デジタルカメラ２０のメモリカード２１０から画像データを取得する。そしてステップＳ１６で、その画像を画面サイズに変換してステップＳ１７に進み、その取得した画像１の画像データをハードディスク１８０のテンポラリィ領域に格納し、その画像データと壁紙設定情報とを壁紙設定アプリケーションに受け渡す。これにより壁紙設定アプリケーションは、データ表示機能１１４を用いて、その画像データをＰＣ１０の壁紙として設定し表示する。アプリケーションソフトウェア１１０は、こうして設定を終了した後、ハードディスク１８０のテンポラリィ領域に格納した画像１を削除する。
【００５８】
これは例えば、設定記述情報が前述の図９（Ａ）の場合である。アプリケーションソフトウェア１１０は、この設定記述情報により、転送モードがＰＣ背景設定モードで、繰り返し表示設定が「なし」、画像の表示時間間隔が「０」、ＰＣの画面分割が「１×１」、総画像数が「１」と認識する。そして、デジタルカメラ２０のパス情報が「\DCIM\100ABC\IMG_0001.JPG」である着脱可能な記憶媒体２１０の画像１（IMG_0001.JPG）を読み出して壁紙として表示する。
【００５９】
一方、ステップＳ１４で、壁紙を表示する画面を分割するように設定されている場合はステップＳ１８に進む。ステップＳ１８で、アプリケーションソフトウェア１１０は、その設定記述情報で設定されている画像１の画像データを、着脱可能記憶媒体２１０のパス情報を基に、デジタルカメラ２０より取得する。次にステップＳ１９で、その取得した画像１の画像データを分割領域のサイズに合わせて変倍し、ハードディスク１８０のテンポラリィ領域に格納する。次にステップＳ２０で、選択された全ての画像の画像データを取得したかを調べ、全ての画像の取り込みが終了していない場合はステップＳ１８に戻り、次の選択された画像データの取得などの処理を実行する。
【００６０】
こうしてステップＳ２０で、選択された全ての画像の画像データを取得するとステップＳ２１に進み、デジタルカメラ２０に対して画像データの取得が完了した旨を通知する。これによりデジタルカメラ２０とＰＣ１０とが分離可能となる。次にステップＳ２２で、壁紙表示アプリケーションにより、ＰＣ１０の壁紙として表示する。この処理は図１２のフローチャートを参照して説明する。
【００６１】
これは、設定記述情報が、例えば前述の図９（Ｃ）の場合である。アプリケーションソフトウェア１１０は、設定記述情報により、転送モードがＰＣ背景設定モードで、繰り返し表示設定が「あり」、画像の表示時間間隔が「２０」、ＰＣの画面分割が「２×２」、総画像数が「８」と認識する。そして、デジタルカメラ２０のパス情報が「\DCIM\100ABC\IMG_0001.JPG」である画像１から「\DCIM\100ABC\IMG_0008.JPG」である画像８までを順次デジタルカメラ２０のメモリカード２１０から読み出す。そして、それぞれ画面の１／４のサイズ（横５１２画素、縦３８４画素）に変換し、ハードディスク１８０のテンポラリィ領域に格納しておく。
【００６２】
尚、上記の例ではテンポラリィ領域に保存したデジタルカメラ２０より取得した画像を削除する処理を行っている。しかし、アプリケーションソフトウェア１１０が、ＰＣ背景設定モード時、画像を保存するフォルダを指定する機能を有することにより、デジタルカメラ２０より取得した画像を削除せずに、指定したフォルダに保存してもよい。
【００６３】
更にアプリケーションソフトウェア（１１０）は、設定記述情報に保存した画像のパス情報を追記し、上記追記した設定記述情報を元に、ＰＣの背景に設定した画像を再生してもよい。
図１２は、本実施形態に係る壁紙表示アプリケーションによる壁紙の表示処理（ステップＳ２２）を説明するフローチャートである。
【００６４】
まずステップＳ３１で、その分割された領域数（Ｎ）及び選択された画像の総数（Ｔ）を、前述の設定記述情報より取得する。次にステップＳ３２で、領域数、画像数を計数する各変数ｎ，ｔをそれぞれ「１」に初期化する。そしてステップＳ３３で、ｔ番目の画像ｔを、ｎ番目の領域ｎに設定して壁紙として表示する。そしてステップＳ３４で、前述の設定記述情報に設定されている表示時間間隔を取得し、その時間が経過するのを待つ。これは不図示のタイマによる計時に基づいて行う。その時間が経過するとステップＳ３５に進み、領域をカウントする変数ｎを＋１する。そしてステップＳ３６で、その変数ｎの値が、分割された領域数（Ｎ）以上でないかを調べ、なければステップＳ３８に進み、画像数をカウントする変数ｔを＋１する。そしてその変数ｔの値が画像の総数Ｔ以上になったかを調べ、以上であればステップＳ４１に進んで、変数ｔの値を＋１してステップＳ４０に進む。変数ｔの値が画像の総数Ｔ以上でないとき、或はステップＳ４１を実行した後、ステップＳ４０では、ｔ番目の画像ｔをｎ番目の画像領域ｎに割り当てて、壁紙として表示する。またステップＳ３６で、変数ｎの値が分割された領域数（Ｎ）以上であればステップＳ３７に進み、変数ｎの値を「１」に設定してステップＳ３８に進む。
【００６５】
これにより、図７（Ａ）〜（Ｄ）及び図８（Ａ）〜（Ｄ）で示すように、１番目の画像１から順番に画像８までが、それぞれ対応する各画像領域に表示時間間隔毎に順次表示される。尚、図７の例では、全ての画像領域（画像領域１〜４）が表示された後、全ての画像領域をクリアしている。これは例えば図１２のフローチャートのステップＳ３７で、全ての画像領域をクリアすることにより実現できる。
【００６６】
また、前述したように、４つの画像領域のそれぞれに同時に画像１〜画像４を表示し、画像表示時間間隔が経過した後、残りの画像５〜画像８を画像領域１〜４に表示するのを繰り返す場合もある。この場合は、図１２のステップＳ３３で、全ての画像領域にそれぞれ対応する画像（画像１〜４）を同時に表示し、ステップＳ３４で表示時間間隔が経過した後、残りの画像５〜８を、全ての画像領域に同時に表示すればよい。
【００６７】
また、図１２のフローチャートで示すような処理にすることにより、分割された画像領域の数が、選択された画像の総数と等しくない場合、或は選択された画像の総数が、分割された画像領域の数の整数倍でない場合でも対処できる。
【００６８】
尚、前述の実施形態では、デジタルカメラ２０にＰＣ１０の背景の分割数を設定する機能を有していたが、アプリケーションソフトウェア１１０が、ＰＣ１０の壁紙の分割数を設定する機能を有してもよい。
【００６９】
［第２の実施形態］
第１の実施形態では、壁紙として使用する画像のサイズをＰＣ１０がモニタ１２の画面サイズに合わせて変換した。また、ＰＣ１０の背景を分割する場合は、壁紙として使用する画像のサイズをＰＣ１０が分割後のサイズに変換し、合成した。
【００７０】
これに対し、第２の実施形態では、デジタルカメラ２０がモニタ１２の画面サイズを取得し、壁紙として使用する画像のサイズをデジタルカメラ２０が変換する。また、ＰＣ１０の背景を分割する場合は、デジタルカメラ２０が分割数に合わせた合成画像を予め生成してＰＣ１０に送信する。
【００７１】
これにより、多くの場合、デジタルカメラ２０がＰＣ１０に送信するデータ量が減少し、送信に要する時間を短縮することができる。なぜなら、一般的にデジタルカメラ２０が撮像した画像サイズはモニタ１２の画面サイズより大きく、サイズの変換はサイズの縮小であることが多いからである。このことは、ＰＣ１０の背景を分割し、画像１枚あたりのサイズがより小さくなる場合に特に顕著である。
【００７２】
尚、ＰＣ１０やデジタルカメラ２０の構成等は第１の実施形態と同様のため、その説明を省略する。
【００７３】
図１３（Ａ），（Ｂ）は、本実施形態に係るデジタルカメラ２０において、ＰＣ背景設定ボタン２５５が押下された際に、デジタルカメラ２０の表示部２０８へ表示される表示例（ＵＩ）を説明する図である。
【００７４】
図１３（Ａ）では、繰り返し表示が「なし」、画像の表示時間間隔が「１５秒」、ＰＣの壁紙の分割数が「１×１」、リサイズして転送が「Ｙ（あり）」に設定されている。
【００７５】
図１３（Ｂ）では、繰り返し表示が「なし」、画像の表示時間間隔が「１５秒」、ＰＣの背景の分割数が「２×２」、合成して転送が「Ｙ（あり）」に設定されている。
【００７６】
分割数が「１×１」の場合は「合成して転送」するという状況は起こりえず、また、「合成して転送」する場合はデジタルカメラ２０が画像サイズを分割数及びモニタ１２の画面サイズに応じて変換する。したがって、表示部２０８へ表示されるＵＩは、分割数が「１×１」であるか、それ以外であるかで、図１３（Ａ）と図１３（Ｂ）が切り替わるように構成される。
【００７７】
図１４（Ａ），（Ｂ）は、本実施形態に係るデジタルカメラ２０からＰＣ１０のアプリケーションソフトウェア１１０に転送される壁紙の設定記述情報の一例を説明する図である。この設定記述情報は、前述のようにして、デジタルカメラ２０で設定された壁紙の表示情報を記述した情報である。
【００７８】
まず、図１３（Ａ）に示す設定において、ＰＣ１０の壁紙に設定する画像をデジタルカメラ２０で４枚選択した場合を説明する。ＰＣ１０の背景の領域は、縦７６８ピクセル、横１０２４ピクセルとし、デジタルカメラ２０で選択された４枚の画像のサイズは、それぞれ、縦１２００ピクセル、横１６００ピクセルとする。
【００７９】
デジタルカメラ２０は選択された画像（\DCIM\100ABC\IMG_0001.JPGから\DCIM\100ABC\IMG_0004.JPGとする）のサイズを縦７６８ピクセル、横１０２４ピクセルに変換する。デジタルカメラ２０は変換した画像を\DCIM\100ABC\TMP_0001.JPGから\DCIM\100ABC\TMP_0004.JPGとして着脱可能記憶媒体２１０に保存する。この場合の設定記述情報は、図１４（Ａ）のようになる。
【００８０】
次に、図１３（Ｂ）に示す設定において、ＰＣ１０の壁紙に設定する画像をデジタルカメラ２０で８枚選択した場合を説明する。ＰＣ１０の背景の領域及び選択された画像のサイズは図１３（Ａ）の場合と同じとする。
【００８１】
デジタルカメラ２０は選択された画像（\DCIM\100ABC\IMG_0001.JPGから\DCIM\100ABC\IMG_0008.JPGとする）のサイズを縦３８４ピクセル、横５１２ピクセルに変換する。デジタルカメラ２０は変換後の画像を合成して図７（Ａ）〜（Ｈ）に示す画像を生成し、\DCIM\100ABC\TMP_0001.JPGから\DCIM\100ABC\TMP_0008.JPGとして着脱可能記憶媒体２１０に保存する。この場合の設定記述情報は、図１４（Ｂ）のようになる。
【００８２】
次に、本発明の第２の実施形態における処理について説明する。
【００８３】
第１の実施形態と同様、本実施形態に係るＰＣ１０には、ＰＣ１０の画面に壁紙を設定するためのアプリケーション１１０が既にインストールされている。デジタルカメラ２０と接続された場合、オペレーティングシステム１２０のイメージデバイス管理システム１２１によって、自動的に上記アプリケーションを起動することができる。
【００８４】
図１５は、本実施形態に係るデジタルカメラ２０における処理を説明するフローチャートで、この処理を実行するプログラムはＲＯＭ２０９に記憶されており、演算部２０２のＣＰＵの制御の下に実行される。尚、第１の実施形態（図１０参照）と同一の処理を行うステップには同一の符号を付し、説明を省略する。
【００８５】
ステップＳ３１で、デジタルカメラ２０はＰＣ背景設定モードに移行する。ここでの処理は、設定可能な項目として図１３（Ａ），（Ｂ）に示す「リサイズして転送」「合成して転送」が加わったことを除き、ステップＳ６と同様である。
【００８６】
ステップＳ３２で、デジタルカメラ２０は、「リサイズして転送」又は「合成して転送」が設定されているか（「Ｙ」であるか）どうかを判定する。設定されていない場合は第１の実施形態の場合と同様であるため、ステップＳ８に進み、次いで処理を終了する。設定されている場合はステップＳ３３に進む。
【００８７】
ステップＳ３３で、デジタルカメラ２０は、ＰＣ１０から背景領域のサイズ（ここでは縦７６８ピクセル、横１０２４ピクセル）を取得する。
【００８８】
ステップＳ３４で、デジタルカメラ２０は、ステップＳ３で選択された画像のサイズ変換又は合成を行う。分割数が「１×１」の場合は、画像のサイズを背景領域のサイズに変換する。分割数が「１×１」以外の場合、例えば「２×２」の場合は、画像のサイズを縦３８４ピクセル、横５１２ピクセルに変換し、図７（Ａ）〜（Ｈ）に示すように合成する。次いでステップＳ８に進み設定記述情報をＰＣ１０に送信し、処理を終了する。
【００８９】
図１６は、本実施形態に係るＰＣ１０で実行される処理を示すフローチャートで、この処理を実行するプログラムは、アプリケーションソフトウェア１１０として登録されている。第１の実施形態（図１１参照）と同一の処理を行うステップには同一の符号を付し、説明を省略する。
【００９０】
ステップＳ５１で、ＰＣ１０は、デジタルカメラ２０から背景領域のサイズの情報を要求されたかどうかを判定する。要求された場合はステップＳ５２に進み、要求されていない場合はステップＳ１３に戻る。
【００９１】
ステップＳ５２で、ＰＣ１０は、背景領域のサイズをデジタルカメラ２０に送信する。
【００９２】
ステップＳ５３で、ＰＣ１０は、設定記述情報に含まれる「リサイズして転送」又は「合成して転送」が設定されているか（「Ｙ」であるか）どうかを判定する。設定されていない場合は第１の実施形態と同様であるため、ステップＳ５６に進む。ステップＳ５６は図１１のステップＳ１４〜Ｓ２２と同等である。設定されている場合はステップＳ５４に進む。
【００９３】
ステップＳ５４で、ＰＣ１０は、設定記述情報に記述されている画像のパス情報を参照して、デジタルカメラ２０のメモリカード２１０から画像データを取得する。
【００９４】
ステップＳ５５で、ＰＣ１０は、設定記述情報に記述されている内容に従って壁紙表示を行う。
【００９５】
尚、本実施形態では、サイズを変換又は合成した画像を保存した後、設定記述情報をＰＣに転送した。しかし、選択画像のサイズの変換又は合成をせずに、選択された画像情報が記載された設定記述情報をＰＣ１０に転送した後、ＰＣ１０へ画像を転送する際に、サイズを変換又は合成した画像を転送してもよい。
【００９６】
また、本実施形態では、デジタルカメラ２０で計８枚の合成画像を生成したが（図１４（Ｂ）参照）、第４および第８の合成画像のみの２枚を転送してもよい。この場合、設定記述情報に含まれる画像は２枚のみとなり、ＰＣ１０の壁紙として設定される画像も２枚のみとなる。また、選択された画像の枚数が例えば７枚の場合は、第４と第７の合成画像を転送してもよい。
【００９７】
また、第４および第８の合成画像のみの２枚を転送する場合でも、ＰＣ１０の壁紙として設定される画像を図７（Ａ）〜（Ｈ）に示すような８パターンとすることもできる。なぜなら、ＰＣ１０は、表示しない部分を透明色に変更することで、図７（Ｄ）及び図７（Ｈ）から、図７のすべてのパターンの合成画像を生成することが可能だからである。こうすることにより、デジタルカメラ２０が送信するデータ量を削減し、送信時間を短縮することができる。
【００９８】
以上説明したように、本実施形態では、デジタルカメラ２０がモニタ１２の画面サイズを取得し、壁紙として使用する画像のサイズをデジタルカメラ２０が変換する。また、ＰＣ１０の背景を分割する場合は、デジタルカメラ２０が分割数に合わせた合成画像を予め生成してＰＣ１０に送信する。
【００９９】
これにより、多くの場合、デジタルカメラ２０がＰＣ１０に送信するデータ量が減少し、送信に要する時間を短縮することができる。なぜなら、一般的にデジタルカメラ２０が撮像した画像サイズはモニタ１２の画面サイズより大きく、サイズの変換はサイズの縮小であることが多いからである。このことは、ＰＣ１０の背景を分割し、画像１枚あたりのサイズがより小さくなる場合に特に顕著である。
【０１００】
［第３の実施形態］
第１及び第２の実施形態では、ＰＣ１０の背景のサイズとデジタルカメラ２０で撮像した画像サイズの縦横比を共に３：４であるとし、縦横比が一致しない場合は考慮しなかった。第３の実施形態では、ＰＣ１０の背景のサイズとデジタルカメラ２０で撮像した画像サイズの縦横比が異なる場合を説明する。
【０１０１】
尚、ＰＣ１０やデジタルカメラ２０の構成等は第１の実施形態と同様のため、その説明を省略する。
【０１０２】
図１７に示すように、デジタルカメラ２０で選択された画像のサイズを縦１２００ピクセル、横１６００ピクセル（縦横比３：４）、ＰＣ１０の背景を縦７６８ピクセル、横１２８０ピクセル（縦横比３：５）とし、ＰＣの背景の分割数を「２×２」とする。
【０１０３】
この場合、ＰＣ１０の背景を分割すると、分割されたそれぞれの領域は縦３８４ピクセル、横６４０ピクセルとなる。そこで、ＰＣ１０又はデジタルカメラ２０は、画像の縦横比を維持せずに、縦３８４ピクセル、横６４０ピクセルに変換する画像処理を行い、画像合成を行ってもよい。
【０１０４】
縦横比を維持する場合には、例えば、画像を、分割された領域に最大に表示可能な大きさ（この場合には、縦３８４ピクセル、横５１２ピクセル）に変換する画像処理を行い、分割された領域の中心に配置する。図１８に示すように、両端にできる横１１２ピクセル、縦３８４ピクセルの領域については、単色（例えば、白色）で塗りつぶしてもよい。
【０１０５】
ここでは、ＰＣ１０の背景の縦横比に対して画像のサイズの縦横比の縦が長い場合を例に説明した。しかし、ＰＣ１０の背景の縦横比に対して画像のサイズの縦横比の横が長い場合でも同様である。すなわち、ＰＣ１０の背景の横方向の長さに合わせて画像のサイズを変換し、ＰＣ１０の背景の上下の領域を単色（例えば、白色）で塗りつぶすことができる。
【０１０６】
また、デジタルカメラで保存された画像に回転フラグが付加されていた場合には、回転フラグを考慮せずに、縦３８４ピクセル、横５１２ピクセルに変換する画像処理を行ってもよい。或いは、図１９に示すように、回転フラグを考慮し、画像を回転後、縦２８８ピクセル、横３８４ピクセルに変換した後、画像合成を行ってもよい。この場合も、両端にできる横１７６ピクセル、縦３８４ピクセルの領域については、例えば、白色で塗りつぶす。
【０１０７】
以上により、ＰＣ１０の背景のサイズと、画像サイズとの関係を意識することなく、デジタルカメラ２０の保持する画像をＰＣ１０の壁紙に設定できるようになる。
【０１０８】
［その他の実施形態］
上述した各実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１０９】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【０１１０】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【０１１１】
【図１】本発明の各実施形態に係るシステム構成を説明する図である。
【図２】各実施形態に係るＰＣの機能構成を示すブロック図である。
【図３】各実施形態に係るデジタルカメラの機能構成を示す機能ブロック図である。
【図４】各実施形態に係るデジタルカメラの背面構成を説明する図である。
【図５】第１の実施形態に係るデジタルカメラにおいて、ＰＣ背景設定ボタンが押下された場合のデジタルカメラの表示部への表示例を説明する図である。
【図６】第１の実施形態に係る画面の分割例を説明する図である。
【図７】各実施形態において、２×２に分割された各領域への画像の表示順序を説明する図である。
【図８】図７（Ｅ）〜（Ｈ）の変形例を説明する図である。
【図９】第１の実施形態に係るデジタルカメラからＰＣのアプリケーションソフトウェアに転送される壁紙の設定記述情報の一例を説明する図である。
【図１０】第１の実施形態に係るデジタルカメラにおける処理を説明するフローチャートである。
【図１１】第１の実施形態に係るＰＣによる処理を説明するフローチャートである。
【図１２】図１１のステップＳ２２の壁紙の表示処理を説明するフローチャートである。
【図１３】第２の実施形態に係るデジタルカメラにおいて、ＰＣ背景設定ボタンが押下された場合のデジタルカメラの表示部への表示例を説明する図である。
【図１４】第２の実施形態に係るデジタルカメラからＰＣのアプリケーションソフトウェアに転送される壁紙の設定記述情報の一例を説明する図である。
【図１５】第２の実施形態に係るデジタルカメラにおける処理を説明するフローチャートである。
【図１６】第２の実施形態に係るＰＣによる処理を説明するフローチャートである。
【図１７】第３の実施形態に係る画面の分割例を説明する図である。
【図１８】第３の実施形態に係る分割された画面の１つの領域を説明する図である。
【図１９】第３の実施形態に係る分割された画面の１つの領域を説明する図である。
【図１】
2007079638.tif 000003
【図２】
2007079638.tif 000004
【図３】
2007079638.tif 000005
【図４】
2007079638.tif 000006
【図５】
2007079638.tif 000007
【図６】
2007079638.tif 000008
【図７】
2007079638.tif 000009
【図８】
2007079638.tif 000010
【図９】
2007079638.tif 000011
【図１０】
2007079638.tif 000012
【図１１】
2007079638.tif 000013
【図１２】
2007079638.tif 000014
【図１３】
2007079638.tif 000015
【図１４】
2007079638.tif 000016
【図１５】
2007079638.tif 000017
【図１６】
2007079638.tif 000018
【図１７】
2007079638.tif 000019
【図１８】
2007079638.tif 000020
【図１９】
2007079638.tif 000021